(57)【要約】【課題】植物における誘引対象に誘導すべき部分を、この誘引対象の近傍に位置づけさせるようにする両者のいわば結束を、容易かつ適切になし得るようにする。【解決手段】弾性を備えた単一の紐状体１を左右においてそれぞれ湾曲状にすると共に、この紐状体１における左側から右側に延びる箇所１ａと右側から左側に延びる箇所１ｂとを中央３において前後に重なり合わせるようにして区分した左右のループ部２、２を有している。左右のループ部２、２の片方において、紐状体１の両端末１ｃ、１ｃが向き合うようになっている。左右のループ部２、２の一方によって棒状又は線状をなす誘引対象Ｏを挿通保持し、かつ、左右のループ部２、２の他方によって植物における誘引対象Ｏに誘導すべき部分Ｐａを遊びを持って挿通保持するようになっている。【選択図】図３
2013051922.tif 000002
【特許請求の範囲】
【請求項１】
弾性を備えた単一の紐状体を左右においてそれぞれ湾曲状にすると共に、この紐状体における左側から右側に延びる箇所と右側から左側に延びる箇所とを中央において前後に重なり合わせるようにして区分した左右のループ部を有し、
しかも、この左右のループ部の片方において、前記紐状体の両端末が向き合うようになっており、
前記左右のループ部の一方によって棒状又は線状をなす誘引対象を挿通保持し、かつ、左右のループ部の他方によって植物における前記誘引対象に誘導すべき部分を遊びを持って挿通保持するようになっていることを特徴とする植物の誘導具。
【請求項２】
弾性を備えた紐状体より形成された左右のループ部を中央において一体化させてなると共に、
前記左右のループ部をそれぞれ一箇所で分断させてなり、
左右のループ部の一方によって棒状又は線状をなす誘引対象を挿通保持し、かつ、左右のループ部の他方によって植物における前記誘引対象に誘導すべき部分を遊びを持って挿通保持するようになっていることを特徴とする植物の誘導具。
【発明の詳細な説明】
【技術分野】
【０００１】
この発明は、植物における誘引対象に誘導すべき部分をこの誘引対象の近傍に位置づけさせるために用いられる誘導具に関する。
【背景技術】
【０００２】
植物、例えば、つる植物を建物の壁面緑化に利用する場合、建物の外側の所望の範囲がつる植物で覆われるように、つる植物を誘導する必要が生じる。こうした誘導は、典型的には、ネットやフェンスあるいは支柱などの誘引対象に、紐や線材を用いてつる植物の誘導すべき部分を結びつけることでなされている。かかる紐や線材を用いた誘導は、これらを所望の長さに切断した上で前記つる植物及び誘引対象に結びつけることを要すると共に、前記誘導を適切になす観点から両者の距離に配慮を払ってなす必要があり、また、つる植物を損傷させないように前記紐などの結び方にも一定の配慮が必要とされるところであった。
【発明の概要】
【発明が解決しようとする課題】
【０００３】
この発明が解決しようとする主たる問題点は、植物における誘引対象に誘導すべき部分を、この誘引対象の近傍に位置づけさせるようにする両者のいわば結束を、容易かつ適切になし得るようにする点にある。
【課題を解決するための手段】
【０００４】
前記課題を達成するために、この発明にあっては、第一の観点から、植物の誘導具を、弾性を備えた単一の紐状体を左右においてそれぞれ湾曲状にすると共に、この紐状体における左側から右側に延びる箇所と右側から左側に延びる箇所とを中央において前後に重なり合わせるようにして区分した左右のループ部を有し、
しかも、この左右のループ部の片方において、前記紐状体の両端末が向き合うようになっており、
前記左右のループ部の一方によって棒状又は線状をなす誘引対象を挿通保持し、かつ、左右のループ部の他方によって植物における前記誘引対象に誘導すべき部分を遊びを持って挿通保持するようになっているものとした。
【０００５】
かかる構成によれば、前記両端末間の間隔を誘導具を弾性変形させて押し広げて、押し広げた両端末間を通じて片方のループ部内に前記誘引対象又は誘導すべき部分をその長さ方向に交叉する向きより入れ込むことができる。そして、このように片方のループ部に入れ込んだ前記誘引対象又は誘導すべき部分を、誘導具を前記中央の重なり合いを解くように弾性変形させることで、（つまり、誘導具を一つの環状にすることで）もう片方のループ部の側に移動させることができ、この後に誘導具を弾性復帰させることで、前記中央を再び重なり合わせてかかる誘引対象又は誘導すべき部分をもう片方のループ部内に保持させることができる。そして、次に、再び前記両端末間の間隔を誘導具を弾性変形させて押し広げて、押し広げた両端末間を通じて前記片方のループ部内に、前記もう片方のループ部に前記誘引対象が保持されているときは前記誘導すべき部分を、これとは逆に前記もう片方のループ部に前記誘導すべき部分が保持されているときは前記誘引対象を、その長さ方向に交叉する向きより入れ込むことができる。そして、これにより、誘導具を介して前記誘引対象の近傍に前記誘導すべき部分を位置づけさせることができる。誘導具は、前記紐状体より構成されることから、前記の弾性変形をさせ易く前記誘引対象又は誘導すべき部分のループ部内への導入作業は容易である一方で、導入後は誘導具はこれらから簡単には外れないようにすることができると共に、誘導具は小型で且つ軽量に構成することができる。また、前記ループ部は弾性を有すると共に遊びを持って前記誘導すべき部分を挿通保持することから、かかる保持状態において植物を傷つけることはなく、また、風で植物が煽られた場合にこのループ部に保持された箇所において誘導すべき部分にできるだけ損傷を生じさせないようにすることができる。
【０００６】
また、前記課題を達成するために、この発明にあっては、第二の観点から、植物の誘導具を、弾性を備えた紐状体より形成された左右のループ部を中央において一体化させてなると共に、
前記左右のループ部をそれぞれ一箇所で分断させてなり、
左右のループ部の一方によって棒状又は線状をなす誘引対象を挿通保持し、かつ、左右のループ部の他方によって植物における前記誘引対象に誘導すべき部分を遊びを持って挿通保持するようになっているものとした。
【０００７】
かかる構成によれば、前記分断箇所の空隙を誘導具を弾性変形させて押し広げて、押し広げた両端末間を通じて片方のループ部内に前記誘引対象及び誘導すべき部分のいずれか一方をその長さ方向に交叉する向きより入れ込むことができると共に、前記分断箇所の空隙を誘導具を弾性変形させて押し広げて、押し広げた両端末間を通じてもう片方のループ部内に前記誘引対象及び誘導すべき部分の他方をその長さ方向に交叉する向きより入れ込むことができる。そして、これにより、誘導具を介して前記誘引対象の近傍に前記誘導すべき部分を位置づけさせることができる。誘導具は、前記紐状体より構成されることから、前記の弾性変形をさせ易く前記誘引対象又は誘導すべき部分のループ部内への導入作業は容易である一方で、導入後は誘導具はこれらから簡単には外れないようにすることができると共に、誘導具は小型で且つ軽量に構成することができる。また、前記ループ部は弾性を有すると共に遊びを持って前記誘導すべき部分を挿通保持することから、かかる保持状態において植物を傷つけることはなく、また、風で植物が煽られた場合にこのループ部に保持された箇所において誘導すべき部分にできるだけ損傷を生じさせないようにすることができる。
【発明の効果】
【０００８】
この発明にかかる植物の誘導具によれば、植物における誘引対象に誘導すべき部分を、この誘引対象の近傍に位置づけさせるようにする両者のいわば結束を、作業者の技量の有無にかかわらず、容易かつ適切になすことができる。
【図面の簡単な説明】
【０００９】
【図１】図１は実施の形態にかかる誘導具（第一例）の正面図である。
【図２】図２は第一例の誘導具の片方のループ部を弾性変形させて紐状体の端末間の間隔を広げさせた状態の一例を示した正面図である。
【図３】図３は第一例の誘導具によって、植物の誘導すべき部分と、誘引対象とを、結束させた状態を示した斜視構成図である。
【図４】図４は第一例の誘導具の構成の一部を変更させてなるバリエーションの一つを示した要部拡大図である。
【図５】図５は第一例の誘導具の構成の一部を変更させてなるバリエーションの他の一つを示した要部拡大図である。
【図６】図６は実施の形態にかかる誘導具（第二例）の正面図である。
【発明を実施するための形態】
【００１０】
以下、図１〜図６に基づいて、この発明の典型的な実施の形態について、説明する。この実施の形態にかかる植物Ｐの誘導具Ｇは、植物が誘引対象Ｏに近づいた状態で生長し、あるいは、植物が誘引対象Ｏに頼って生長するように、植物における誘引対象Ｏに誘導すべき部分Ｐａをこの誘引対象Ｏの近傍に適切に位置づけさせるために用いられるものである。図示の例では、かかる誘導具Ｇは、つる植物Ｐが所望の誘引対象Ｏに巻き付いて生長するように、このつる植物Ｐにおける誘引対象Ｏに誘導すべき部分Ｐａを、この誘引対象Ｏの近傍に位置づけさせるのに適した構造となっている。
【００１１】
典型的には、かかる誘導具Ｇは、つる植物Ｐの茎などの前記誘導すべき部分Ｐａを、ネット、フェンス、支柱などの前記誘引対象Ｏの近傍に位置づけさせるために用いられる。
【００１２】
この実施の形態にかかる誘導具Ｇは、弾性を備えた紐状体１から構成されている。かかる紐状体１は、典型的には、丸紐状あるいは平紐状をなし、ゴムやゴム状弾性を備えたプラスチックから構成される。かかる紐状体１は、つる植物Ｐの色に近似した色、典型的には、緑色の材料から構成するのが好適である。
【００１３】
また、この実施の形態にかかる誘導具Ｇは、左右にループ部２、２を備えており、左右のループ部２、２の一方によって棒状（前記支柱など）又は線状（前記ネットなど）をなす誘引対象Ｏを挿通保持し、かつ、左右のループ部２、２の他方によってつる植物Ｐにおける前記誘引対象Ｏに誘導すべき部分Ｐａを遊びを持って挿通保持するようになっている。
【００１４】
この実施の形態にあっては、かかる左右のループ部２、２の大きさは略等しくなっている。ここで、かかるループ部２が大きすぎると、一方のループ部２によって保持される前記誘引対象Ｏと、他方のループ部２によって保持される前記誘導すべき部分Ｐａとの間の距離が大きくなって、かかる誘引対象Ｏに誘導すべき部分Ｐａを確実に誘導し難くなる。一方、かかるループ部２が小さすぎると、前記誘導すべき部分Ｐａは一般に細く傷つきやすいことから、ループ部２により誘導すべき部分Ｐａを締め付けてしまったり、風でつる植物Ｐが煽られた場合にこのループ部２に保持された箇所において誘導すべき部分Ｐａに損傷を生じさせ易くなる。これらのことから、ループ部２は、その内側において直径を２０ｍｍ〜２５ｍｍの範囲とする仮想の円の範囲で前記誘導すべき部分Ｐａの可動を可能とする、大きさのものとすることが好ましい。このようにループ部２を構成した場合、誘導具Ｇによる保持位置において、前記誘引対象Ｏと誘導すべき部分Ｐａとの距離は、３０ｍｍ〜５０ｍｍの範囲となる。
【００１５】
図１〜図３に示される第一例にあっては、誘導具Ｇは、弾性を備えた単一の紐状体１を左右においてそれぞれ湾曲状にすると共に、この紐状体１における左側から右側に延びる箇所１ａと右側から左側に延びる箇所１ｂとを中央３において前後に重なり合わせるようにして区分した左右のループ部２、２を有している。それと共に、この左右のループ部２、２の片方（図１においては右側）において、前記紐状体１の両端末１ｃ、１ｃが向き合うようになっている。
【００１６】
この第一例にあっては、前記両端末１ｃ、１ｃ間の間隔を誘導具Ｇを弾性変形させて押し広げて、押し広げた両端末１ｃ、１ｃ間を通じて片方のループ部２（図１においては右側）内に前記誘引対象Ｏ又は誘導すべき部分Ｐａをその長さ方向に交叉する向きより入れ込むことができる。そして、このように片方のループ部２に入れ込んだ前記誘引対象Ｏ又は誘導すべき部分Ｐａを、誘導具Ｇを前記中央３の重なり合いを解くように弾性変形させることで、（つまり、誘導具Ｇを一つの環状にすることで）もう片方のループ部２（図１においては左側）の側に移動させることができ、この後に誘導具Ｇを弾性復帰させることで、前記中央３を再び重なり合わせてかかる誘引対象Ｏ又は誘導すべき部分Ｐａをもう片方のループ部２内に保持させることができる。そして、次に、再び前記両端末１ｃ、１ｃ間の間隔を誘導具Ｇを弾性変形させて押し広げて、押し広げた両端末１ｃ、１ｃ間を通じて前記片方のループ部２内に、前記もう片方のループ部２に前記誘引対象Ｏが保持されているときは前記誘導すべき部分Ｐａを、これとは逆に前記もう片方のループ部２に前記誘導すべき部分Ｐａが保持されているときは前記誘引対象Ｏを、その長さ方向に交叉する向きより入れ込むことができる。そして、これにより、誘導具Ｇを介して前記誘引対象Ｏの近傍に前記誘導すべき部分Ｐａを位置づけさせることができる。（図３）誘導具Ｇは、前記紐状体１より構成されることから、前記の弾性変形をさせ易く前記誘引対象Ｏ又は誘導すべき部分Ｐａのループ部２内への導入作業は容易である一方で、導入後は誘導具Ｇはこれらから簡単には外れないようにすることができると共に、誘導具Ｇは小型で且つ軽量に構成することができる。また、前記ループ部２は弾性を有すると共に遊びを持って前記誘導すべき部分Ｐａを挿通保持することから、かかる保持状態においてつる植物Ｐを傷つけることはなく、また、風でつる植物Ｐが煽られた場合にこのループ部２に保持された箇所において誘導すべき部分Ｐａにできるだけ損傷を生じさせないようにすることができる。
【００１７】
図１にあっては、前記両端末１ｃ、１ｃは、紐状体１の中心線に斜めに交叉する端面１ｄを有し、一方端末１ｃの端面１ｄと他方端末１ｃの端面１ｄは平行をなし、かつ、両端面間の間隔は前記誘引対象Ｏ又は誘導すべき部分Ｐａの太さよりも小さくなっている。図４に示されるように、かかる両端末１ｃ、１ｃをそれぞれ先細りとなるように構成し、前記片方のループ部２において、丸みを帯びた先端同士を向き合わせるようにしても良い。また、前記片方のループ部２において、図５に示されるように、一方の端末１ｃの内側において他方の端末１ｃがこの一方の端末１ｃに接し合うようにしても良い。
【００１８】
図６に示される第二例にあっては、誘導具Ｇは、弾性を備えた紐状体１より形成された左右のループ部２、２を中央３において一体化させてなると共に、前記左右のループ部２、２をそれぞれ一箇所で分断させた構成となっている。図示の例では、ループ部２は、一体化された中央３と、左右のループ部２、２の中心をそれぞれ通る仮想の直線ｘの一方側において、分断されている。分断箇所２ａには、前記誘引対象Ｏ又は誘導すべき部分Ｐａの太さよりも小さい空隙が形成されている。図示の例では、誘導具Ｇはアラビア数字の８の字状を呈し、中央３において前後に重なり合う紐状体１は溶着あるいは接着されている。
【００１９】
この第二例にあっては、前記分断箇所２ａの空隙を誘導具Ｇを弾性変形させて押し広げて、押し広げた両端末１ｃ、１ｃ間を通じて片方のループ部２（図６においては右側）内に前記誘引対象Ｏ及び誘導すべき部分Ｐａのいずれか一方をその長さ方向に交叉する向きより入れ込むことができると共に、前記分断箇所２ａの空隙を誘導具Ｇを弾性変形させて押し広げて、押し広げた両端末１ｃ、１ｃ間を通じてもう片方のループ部２（図６においては左側）内に前記誘引対象Ｏ及び誘導すべき部分Ｐａの他方をその長さ方向に交叉する向きより入れ込むことができる。そして、これにより、前記第一例と同様に、誘導具Ｇを介して前記誘引対象Ｏの近傍に前記誘導すべき部分Ｐａを位置づけさせることができる。誘導具Ｇは、前記紐状体１より構成されることから、前記の弾性変形をさせ易く前記誘引対象Ｏ又は誘導すべき部分Ｐａのループ部２内への導入作業は容易である一方で、導入後は誘導具Ｇはこれらから簡単には外れないようにすることができると共に、誘導具Ｇは小型で且つ軽量に構成することができる。また、前記ループ部２は弾性を有すると共に遊びを持って前記誘導すべき部分Ｐａを挿通保持することから、かかる保持状態においてつる植物Ｐを傷つけることはなく、また、風でつる植物Ｐが煽られた場合にこのループ部２に保持された箇所において誘導すべき部分Ｐａにできるだけ損傷を生じさせないようにすることができる。
【符号の説明】
【００２０】
１  紐状体
１ａ  箇所
１ｂ  箇所
１ｃ  端末
２  ループ部
３  中央
Ｐａ  誘導すべき部分
Ｏ  誘引対象
【図１】
2013051922.tif 000003
【図２】
2013051922.tif 000004
【図３】
2013051922.tif 000005
【図４】
2013051922.tif 000006
【図５】
2013051922.tif 000007
【図６】
2013051922.tif 000008